(57)【要約】  【課題】  パネル内外を貫通するリークパスが形成されることを抑制し、リークによる不具合の発生を防止して信頼性の高いフラットディスプレイパネルを提供する。  【解決手段】  放電型表示装置は、前面基板１０ａと背面基板１０ｂとを対向配置し、これら前面基板１０ａ及び背面基板１０ｂの間隙を封止層１５で封止されている。第１電極１１は前面基板１０ａの左辺部にて外部端子１１ａとして外部回路に接続されるようになっており、誘電体層１３の左辺における外周は、封止層形成領域の内部に配置され、誘電体層１３の下辺における外周は封止層形成領域の内周より内側に配置されている。つまり、封止層形成領域のうち、第１電極１１が形成された領域Ｓ１の上側（前面基板１０ａからみて）には、誘電体層１３が形成された部分を有するが、第１電極１１が形成されていない領域Ｓ２の上側には誘電体層１３が形成されていない。【選択図】        図１
2006260913.tif 000002
【特許請求の範囲】
【請求項１】
電極及び誘電体層が形成された基板と該基板に対向する他の基板との間隙が封止層によって封止されたフラットディスプレイパネルにおいて、
前記誘電体層の外周の一部又は全部は、前記封止層が形成された封止層形成領域の内部に配置されていること
を特徴とするフラットディスプレイパネル。
【請求項２】
前記封止層形成領域に前記電極が形成されており、
前記封止層形成領域のうちの前記電極が形成された領域の上側に、前記誘電体層が形成された部分を有すること
を特徴とする請求項１に記載のフラットディスプレイパネル。
【請求項３】
前記封止層形成領域のうちの前記電極が形成されていない領域の上側には、前記誘電体層が形成されていないこと
を特徴とする請求項２に記載のフラットディスプレイパネル。
【請求項４】
電極及び誘電体層が形成された基板と該基板に対向する他の基板との間隙が封止層によって封止されたフラットディスプレイパネルにおいて、
前記電極は、前記封止層が形成された封止層形成領域の内側から外側に伸びており、
前記電極が形成された領域に対応する前記誘電体層の外周は、前記封止層形成領域より外側に配置され、
その他の外周は前記封止層形成領域より内側に配置されていること
を特徴とするフラットディスプレイパネル。
【請求項５】
前記電極は複数あって、
隣り合う電極の間隙の上側には、前記誘電体層が形成されていないこと
を特徴とする請求項１乃至請求項４のいずれかに記載のフラットディスプレイパネル。
【発明の詳細な説明】
【技術分野】
【０００１】
本発明は、プラズマディスプレイパネルのようなフラットディスプレイパネルに関し、より具体的には、２つの基板の間隙を封止層で封止した空間と外部とのリークパスの発生を抑制することができるフラットディスプレイパネルに関する。
【背景技術】
【０００２】
以下、フラットディスプレイパネルとして３電極面放電構造のＡＣ型プラズマディスプレイパネル（以下、放電型表示装置）を例に説明する。図１０は従来の放電型表示装置の要部斜視図である。
放電型表示装置は、可視光領域（３８０ｎｍ〜７７０ｎｍ）における透過率が優れたガラス板などの前面基板１１０ａと背面基板１１０ｂとを対向配置し、前面基板１１０ａ及び背面基板１１０ｂの周縁部を封止層（シール層）で封止することによって生じた空間にＸｅ−Ｎｅ、Ｘｅ−Ｈｅなどの放電媒体を封入した自己発光型の表示装置である。
【０００３】
前面基板１１０ａには、互いに平行する一対の第１電極１１１，１１１が所定ピッチで形成され、さらに壁電荷を蓄積するための誘電体層１１３が第１電極１１１，１１１を被覆して形成されている。第１電極１１１は、維持放電に用いられることからサステイン電極と呼ばれる。また、誘電体層１１３には、酸化マグネシウム（ＭｇＯ）のような保護層１２０が被覆形成されており、保護層１２０は、誘電体層１１３へのイオン衝撃を防ぐとともに、放電のための２次電子を放出するなど重要な役割を果たしている。
【０００４】
一方、背面基板１１０ｂには、第１電極１１１と直交する方向に、第２電極１１２が所定ピッチで形成され、さらに第２電極１１２を被覆する誘電体層１１４が形成されている。第２電極１１２は、一対のうちの一方の第１電極１１１と協業してアドレス放電に用いられることからアドレス電極と呼ばれる。また、隣り合う第２電極１１２の略中間領域にあたる誘電体層１１４上に、第２電極１１２と同方向に延びる隔壁１１６が形成されており、さらに、隔壁１１６の壁面及び誘電体層１１４の表面にカラー表示用の赤，緑，青の３色の蛍光体層１１７が周期的に形成されている。
【０００５】
第１電極１１１と第２電極１１２との交点によって区画される領域が画素単位の放電セルとなり、一方の第１電極１１１と第２電極１１２との間に電圧を印加して表示書き込みのためのアドレス放電を選択的に発生させ、引き続いて一対の第１電極１１１，１１１間に電圧を印加してアドレス放電の生じたセルに表示維持のための維持放電を発生させる。
【０００６】
維持放電は、アドレス放電を行った後に、第１電極１１１，１１１間に印加する電圧をスイッチングして、誘電体層１１３を介して放電セルで放電を生じさせ、さらに、第１電極１１１，１１１間に印加する電圧をスイッチングして、新たに放電を生じさせる。これを繰り返すことにより継続的に放電を発生させるものである。この放電によって放電媒体中のＸｅと衝突して真空紫外光が放出される。放出された真空紫外光は蛍光体層１１７を励起させ、可視光が出射される。このように、各電極間に印加する電圧により各放電セルにおける電界を制御し、真空紫外光の発生を制御することにより表示装置として機能する。
【０００７】
ところで、誘電体層１１３，１１４は、一般にフリットガラスを溶解させて形成される。フリットガラスはエチルセルロース樹脂を主体としたビヒクルに分散させてペースト化したもので、これをスクリーン印刷などによって前面基板１１０ａ，背面基板１１０ｂに塗布し、樹脂成分を焼成することによりガラス成分を主体とする誘電体層１１３，１１４が形成される。
【０００８】
また、近年、フリットガラスをアクリル樹脂などに分散させてシート化したものを貼り合わせ焼成して形成する方法、ＣＶＤ法などの気相成長によってＳｉＯ2 、ＳｉＮ2 などの誘電体層を形成する方法が提案されている（例えば、特許文献１参照。）。後者の方法によれば、誘電体層の厚みを安定して高精度かつ均一に形成することができるとともに、高スループットが実現され、大規模量産において低コスト化が可能な方法として期待されている。
【０００９】
図１１は従来の放電型表示装置の周縁部を示す平面図、図１２は構造断面図である。なお、保護層については図示を省略する。
従来の放電型表示装置は、第１電極１１１が前面基板１１０ａの左辺部にて外部端子１１１ａとして外部回路に接続されるようになっており、誘電体層１１３も封止層１１５の外側まで形成されている。これは、パネル内において第１電極１１１が誘電体層１１３に被覆されていない領域（箇所）が存在した場合、誤放電が生じたり、塵などのダストによって隣り合う第１電極１１１，１１１間が短絡したり、第１電極１１１（第２電極１１２）と封止層１１５とが反応して空孔が生じ、生じた空孔がリークパスとなったりする虞があるためであり、これらの不具合を防止すべく誘電体層１１３を封止層１１５の外側まで形成する。
【特許文献１】特開２０００−２１３０４号公報
【発明の開示】
【発明が解決しようとする課題】
【００１０】
しかしながら、封止層１１５と誘電体層１１３との接着性が悪い場合、封止層１１５と誘電体層１１３との間隙を経路とするリークパスが生じて、内部に封入した放電ガスが外部へリークしてしまう虞があった。とくに、上述したＣＶＤ法を用いて形成されるＳｉＯ2 、ＳｉＮ2 などの誘電体層は、封止層に用いられる材料（ＰｂＯ、ＢｉＯ、ＺｎＯ）との接着性が低く、このようなガスリークを防止する必要があった。なお、このリークパスは、塵などを起点にランダムに形成されることから、全ての封止層形成領域からリークしている訳ではない。
【００１１】
本発明は斯かる事情に鑑みてなされたものであり、パネル内外を貫通するリークパスが形成されることを抑制し、リークによる不具合の発生を抑制して信頼性の高いフラットディスプレイパネルの提供を目的とする。
【課題を解決するための手段】
【００１２】
第１発明に係るフラットディスプレイパネルは、電極及び誘電体層が形成された基板と該基板に対向する他の基板との間隙が封止層によって封止されたフラットディスプレイパネルにおいて、前記誘電体層の外周の一部又は全部は、前記封止層が形成された封止層形成領域の内部に配置されていることを特徴とする。
【００１３】
本発明にあっては、２つの基板の間隙を封止する封止層が形成された封止層形成領域の内部に、誘電体層の外周の一部又は全部が配置されている。ＳｉＯ2 、ＳｉＮ2 などのケイ素を含む材料からなる誘電体層は、封止層に用いられる材料（ＰｂＯ、ＢｉＯ、ＺｎＯ）との接着性が低いが、２つの基板が誘電体層を介することなく封止層によって直接封止される領域を確保することができるので、両基板間の接着力が向上する。したがって、封止層と基板とが誘電体層を介して接着する箇所が剥離したとしても、封止層と基板とが直接接着する部分によって、パネル内外を貫通するリークパスの形成が抑制され、リークによる不具合の発生を抑制することができる。
【００１４】
第２発明に係るフラットディスプレイパネルは、前記封止層形成領域に前記電極が形成されており、前記封止層形成領域のうちの前記電極が形成された領域の上側に、前記誘電体層が形成された部分を有することを特徴とする。
【００１５】
本発明にあっては、封止層形成領域に電極が形成され、封止層形成領域のうちの電極が形成された領域の上側に、誘電体層が形成された部分が存在することから、電極と封止層とが反応して空孔が生じる割合を減少することができる。よって、パネルの内外を貫通するリークパスの形成が抑制され、リークによる不具合の発生を抑制することができる。
【００１６】
第３発明に係るフラットディスプレイパネルは、前記封止層形成領域のうちの前記電極が形成されていない領域の上側には、前記誘電体層が形成されていないことを特徴とする。
【００１７】
本発明にあっては、封止層形成領域のうちの電極が形成されていない領域（電極未形成領域）の上側には、誘電体層が形成されていないことから、２つの基板が封止層で直接封止されることになって両基板間の接着力が向上する。このように、空孔が生じることのない領域（電極未形成領域）を、可能な限りにおいて誘電体層を介することなく封止層によって２つの基板を接着し、その接着面積を増やして接着力を高めることが好ましい。
【００１８】
第４発明に係るフラットディスプレイパネルは、電極及び誘電体層が形成された基板と該基板に対向する他の基板との間隙が封止層によって封止されたフラットディスプレイパネルにおいて、前記電極は、前記封止層が形成された封止層形成領域の内側から外側に伸びており、前記電極が形成された領域に対応する前記誘電体層の外周は、前記封止層形成領域より外側に配置され、その他の外周は前記封止層形成領域より内側に配置されていることを特徴とする。
【００１９】
本発明にあっては、２つの基板の間隙を封止する封止層が形成された封止層形成領域より外側に、電極が形成された領域に対応する誘電体層の外周が配置されている、つまり、封止層形成領域では電極のすべてに誘電体層が被覆形成されていることから、電極と封止層とが反応する虞は全くなく空孔が生じることはない。また、その他の外周は封止層形成領域より内側に配置されていることから、２つの基板が封止層で直接封止されることになって両基板間の接着力が向上する。
【００２０】
第５発明に係るフラットディスプレイパネルは、前記電極は複数あって、隣り合う電極の間隙の上側には、前記誘電体層が形成されていないことを特徴とする。
【００２１】
本発明にあっては、電極が複数ある場合、隣り合う電極の間隙の上側には、誘電体層が形成されていないことから、２つの基板が封止層で直接封止されることになって両基板間の接着力が向上する。このように、電極が形成された領域であっても、空孔が生じることのない領域（隣り合う電極の間隙）を、誘電体層を介することなく封止層によって２つの基板を接着し、その接着面積を増やして接着力を高めることが好ましい。なお、封止層と保護層とは、封止層と誘電体層との関係と同じように接着力が弱く、リークパスがランダムに生じる可能性があり、保護層の外周が封止層形成領域の内部に配置することが好ましい。
【発明の効果】
【００２２】
本発明によれば、２つの基板の間隙を封止する封止層が形成された封止層形成領域の内部に、誘電体層の外周の一部又は全部が配置された構成としたので、２つの基板が誘電体層を介することなく封止層によって直接封止される領域を確保することができ、両基板間の接着力を向上することができる。したがって、封止層と基板とが誘電体層を介して接着する箇所が剥離したとしても、封止層と基板とが直接接着する部分によって、パネル内外を貫通するリークパスの形成が抑制され、リークによる不具合の発生を抑制することができる。
【００２３】
本発明によれば、封止層形成領域に電極が形成され、封止層形成領域のうちの電極が形成された領域の上側に誘電体層が形成された部分が存在する構成としたので、電極と封止層とが反応して空孔が生じる割合を減少して、パネルの内外を貫通するリークパスの形成を抑制し、リークによる不具合の発生を抑制することができる。
【００２４】
本発明によれば、封止層形成領域のうちの電極が形成されていない領域（電極未形成領域）の上側には誘電体層が形成されていない構成としたので、２つの基板が封止層で直接封止されることになって両基板間の接着力を向上することができる。
【００２５】
本発明によれば、２つの基板の間隙を封止する封止層が形成された封止層形成領域より外側に、電極が形成された領域に対応する誘電体層の外周が配置された構成、つまり、封止層形成領域では電極のすべてに誘電体層が被覆形成された構成としたので、電極と封止層とが反応する虞は全くなく空孔が生じることを防止できる。また、その他の外周は封止層形成領域より内側に配置された構成としたので、２つの基板が封止層で直接封止されることになって両基板間の接着力を向上することができる。
【００２６】
本発明によれば、電極が複数ある場合、隣り合う電極の間隙の上側に誘電体層が形成しない構成としたので、２つの基板が封止層で直接封止されることになって両基板間の接着力をさらに向上することができる等、優れた効果を奏する。
【発明を実施するための最良の形態】
【００２７】
以下、本発明をその実施の形態を示す図面に基づいて詳述する。
【００２８】
（実施の形態１）
図１は本発明の実施の形態１に係る放電型表示装置の周縁部を示す平面図、図２は構造断面図である。なお、図１は、本発明の特徴を分りやすくするために、構成要素の一部を省略している（以下同様）。
本発明の実施の形態１に係る放電型表示装置は、可視光領域における透過率が優れたガラス板などの前面基板１０ａと背面基板１０ｂとを対向配置し、これら前面基板１０ａ及び背面基板１０ｂの間隙を低融点ガラスペーストなどの封止層１５で封止され、Ｘｅ−Ｎｅ、Ｘｅ−Ｈｅなどの放電媒体が封入されている。
【００２９】
前面基板１０ａには、サステイン電極として機能する一対の第１電極１１，１１が所定ピッチで形成され、さらに壁電荷を蓄積するための誘電体層１３が形成されている。第１電極１１は、発光を効率良く前面基板１０ａから取り出せるように、ＩＴＯ、ＮＥＳＡなどの透明電極が好ましいが、そのシート抵抗値が所望する抵抗値より高い場合には一対の透明電極及び導電性の高い金属などバス電極から構成されるハイブリッド電極であってもよい。ハイブリッド電極とすれば、ライン抵抗を下げて放電光の強度が表示領域の全域にわたって均一となるようにできるので、輝度ムラを抑制するとともに、優れた色再現性を確保することができる。もちろん、バス電極は光透過性が低いため、表示領域における線幅は必要とする抵抗値以下となる最小の線幅で形成する。なお、誘電体層１３に、酸化マグネシウム（ＭｇＯ）のような、イオン衝撃を防ぐとともに放電のための２次電子を放出する光損傷耐性の改善のための図示しない保護層が形成されていることが好ましい。
【００３０】
一方、背面基板１０ｂには、第１電極１１と直交する方向に、アドレス電極として機能する第２電極１２が所定ピッチで形成され、さらに第２電極１２を被覆する誘電体層１４が形成されている。また、隣り合う第２電極１２，１２の略中間領域にあたる誘電体層１４上に、第２電極１２と同方向に延びる隔壁１６が形成されており、さらに、隔壁１６の壁面及び誘電体層１４の表面にカラー表示用の赤，緑，青の３色の蛍光体層１７が周期的に形成されている。
【００３１】
第１電極１１は、前面基板１０ａの左辺部にて外部端子１１ａとして外部回路に接続されるようになっており、表示領域に加えて、表示領域より外側の封止層１５が形成された封止層形成領域にも形成されている。誘電体層１３の左辺における外周（以下、左辺端部ということがある）は封止層１５と重なるように封止層形成領域の内部に配置され、また、誘電体層１３の下辺における外周（以下、下辺端部ということがある）は封止層形成領域の内周より内側に配置されている。つまり、封止層形成領域のうち、第１電極１１が形成された領域Ｓ１の上側（前面基板１０ａからみて）には、誘電体層１３が形成された部分を有するが、第１電極１１が形成されていない領域Ｓ２の上側には誘電体層１３が形成されていない。
【００３２】
誘電体層１３の左辺端部Ｅ１は封止層１５と重なっているが、封止層形成領域のうち、パネル内側の領域Ｓ３には誘電体層１３が形成され、パネル外側の領域Ｓ４には誘電体層１３が形成されていない。封止層形成領域のうちのパネル内側の領域Ｓ３では、誘電体層１３を介して封止層１５と前面基板１０ａとが接着されることになるので接着力が弱く、剥離が生じる虞がある。しかし、剥離が生じた場合であっても、パネルの全周囲に渡って、誘電体層１３を介することなく封止層１５と前面基板１０ａとが直接接着されているので、パネルの内外を貫通するリークパスが形成される虞はない。特に、封止層形成領域のうちの第１電極１１が形成されていない下辺部の領域Ｓ２、及びパネル外側の領域Ｓ４には、誘電体層１３が形成されていないので、前面基板１０ａと背面基板１０ｂとが封止層１５で直接接着されて両基板間の接着力が向上する。このように、空孔が生じることのない領域（電極未形成領域）を、可能な限りにおいて誘電体層１３を介することなく封止層１５によって接着し、その接着面積を増やして接着力を高めることが好ましい。例えば、ＣＶＤ法を用いて形成されるＳｉＯ2 、ＳｉＮ2 などのケイ素を含む材料からなる誘電体層は、封止層に用いられる材料（ＰｂＯ、ＢｉＯ、ＺｎＯ）との接着性が低く、このような場合に好適である。
【００３３】
また、封止層形成領域のうちの第１電極１１が形成された領域Ｓ１の上側に、誘電体層が形成された部分が存在することから、第１電極１１と封止層１５とが反応して空孔が生じる割合を減少することができる。さらに、空孔が生じた場合であっても、誘電体層１３を介して接着する部分によって空孔のパネル内部への進行が止められ、パネルの内外を貫通するリークパスの形成が抑制され、リークによる不具合の発生を抑制することができる。
【００３４】
さらに、封止層形成領域より内側は、誘電体層１３によって第１電極１１が被覆されているため、第１電極１１，１１間でショートが発生することがないとともに、誤放電が発生することを防止することができる。このように、放電媒体の外部へのリークを抑制するとともに誤放電の発生を防止することで、安定した輝度で発光することができ、信頼性の高い放電型表示装置とすることができる。
【００３５】
（実施の形態２）
図３は本発明の実施の形態２に係る放電型表示装置の周縁部を示す平面図である。
本発明の実施の形態２に係る放電型表示装置は、前面基板１０ａと背面基板１０ｂとを対向配置し、これら前面基板１０ａ及び背面基板１０ｂの対向面の周縁部を低融点ガラスペーストなどの封止層１５で封止されている。
【００３６】
第１電極１１（不図示）は前面基板１０ａの左辺部にて外部端子となる複数の電極群（ここでは、電極群２１ａ，２１ｂ）に分けて形成されている。誘電体層１３の左辺端部Ｅ２は封止層１５と重なるように封止層形成領域の内部に配置され、また、誘電体層１３の下辺端部Ｅ３は封止層１５の内周より内側に配置されている。つまり、封止層１５が形成された封止層形成領域のうち、電極群２１ａ，２１ｂが形成された領域Ｓ５の上側には、誘電体層１３が形成された部分を有するが、電極群２１ａ，２１ｂが未形成の領域Ｓ６の上側には誘電体層１３が形成されていない。また、電極群２１ａ，２１ｂの中間部分の領域Ｓ７は、電極の未形成領域であることから、その領域においては、誘電体層１３を形成する必要はなく、対応する誘電体層１３の外周（端部Ｅ４）は封止層形成領域よりパネル内側に配置されている。
【００３７】
このような放電型表示装置においては、実施の形態１と同様、封止層形成領域のうちのパネル外側の領域Ｓ８では、パネルの全周囲に渡って誘電体層１３を介することなく封止層１５と前面基板１０ａとが直接接着されているので、パネルの内外を貫通するリークパスが形成される虞はない。特に、封止層形成領域のうちの電極群２１ａ，２１ｂが形成されていない領域Ｓ６、パネル外側の領域Ｓ８、及び電極群２１ａ，２１ｂの中間部分の領域Ｓ７には、誘電体層１３が形成されていないので、前面基板１０ａと背面基板１０ｂとが封止層１５で直接接着されて両基板間の接着力が向上する。このように、空孔が生じることのない領域（電極未形成領域）を、可能な限りにおいて誘電体層１３を介することなく封止層１５によって接着し、その接着面積を増やして接着力を高めることが好ましい。さらに、封止層形成領域より内側は、誘電体層１３によって第１電極１１が被覆されているため、第１電極１１，１１間でショートが発生することはないとともに、誤放電が発生することを防止することができる。
【００３８】
（実施の形態３）
図４は本発明の実施の形態３に係る放電型表示装置の周縁部を示す平面図である。
本発明の実施の形態３に係る放電型表示装置は、前面基板１０ａと背面基板１０ｂとを対向配置し、これら前面基板１０ａ及び背面基板１０ｂの対向面の周縁部を低融点ガラスペーストなどの封止層１５で封止されている。
【００３９】
第１電極１１が封止層１５と重なる部分には、電極の１本毎に誘電体層１３の形成領域が封止層１５を貫通しない長さで形成されている。つまり、実施の形態１と比較して、隣り合う第１電極１１，１１間の間隙の領域Ｓ９の上側には、誘電体層１３が形成されていない。また、誘電体層１３の下辺端部Ｅ５は封止層１５の内周より内側に配置されている。
【００４０】
このような放電型表示装置においては、上述した実施の形態と同様、封止層形成領域のうちのパネル外側の領域Ｓ１０では、パネルの全周囲に渡って誘電体層１３を介することなく封止層１５と前面基板１０ａとが直接接着されているので、パネルの内外を貫通するリークパスが形成される虞はない。特に、封止層形成領域のうちの第１電極１１が形成されていない下辺部の領域Ｓ１１、パネル外側の領域Ｓ１０、及び第１電極１１，１１の間隙の領域Ｓ９には、誘電体層１３が形成されていないので、前面基板１０ａと背面基板１０ｂとが封止層１５で直接接着されて両基板間の接着力が向上する。このように、空孔が生じることのない領域（第１電極１１，１１の間隙の領域Ｓ９）を、可能な限りにおいて誘電体層１３を介することなく封止層１５によって接着し、その接着面積を増やして接着力を高めることが好ましい。さらに、封止層形成領域より内側は、誘電体層１３によって第１電極１１が被覆されているため、第１電極１１，１１間でショートが発生することはないとともに、誤放電が発生することを防止することができる。
【００４１】
（実施の形態４）
図５は本発明の実施の形態４に係る放電型表示装置の周縁部を示す平面図である。
本発明の実施の形態４に係る放電型表示装置は、前面基板１０ａと背面基板１０ｂとを対向配置し、これら前面基板１０ａ及び背面基板１０ｂの対向面の周縁部を低融点ガラスペーストなどの封止層１５で封止されている。
【００４２】
第１電極１１が形成されている誘電体層１３の左辺端部Ｅ６は封止層１５の外周より外側に配置されており、第１電極１１が未形成の誘電体層１３の下辺端部Ｅ７は封止層１５の内周より内側に配置されている。つまり、封止層１５が形成された封止層形成領域のうち、第１電極１１が形成された領域Ｓ１２の上側のすべてに誘電体層１３が形成されるが、第１電極１１が未形成の領域Ｓ１３の上側には誘電体層１３が形成されていない。
【００４３】
このような放電型表示装置においては、封止層形成領域のうちの第１電極１１が形成されていない下辺部の領域Ｓ１３には、誘電体層１３が形成されていないので、前面基板１０ａと背面基板１０ｂとが封止層１５で直接接着されて両基板間の接着力が向上する。誘電体層１３を介して封止層１５と前面基板１０ａとが接着した領域Ｓ１２では、パネル内外を貫通するリークパスが形成される虞があるが、従来の放電型表示装置（図１１参照）と比較して、下辺部の領域Ｓ１３では封止層１５によって直接接着されているので、パネルの内外を貫通するリークパスが形成される割合を減少することができる。また、封止層１５が形成された封止層形成領域のうちの第１電極１１が形成された領域Ｓ１２の上側のすべてに誘電体層１３が形成されていることから、封止層１５に用いた材料と第１電極とが反応して空孔が生じる虞は全くない。
【００４４】
（実施の形態５）
図６は本発明の実施の形態５に係る放電型表示装置の周縁部を示す平面図である。
本発明の実施の形態５に係る放電型表示装置は、前面基板１０ａと背面基板１０ｂとを対向配置し、これら前面基板１０ａ及び背面基板１０ｂの対向面の周縁部を低融点ガラスペーストなどの封止層１５で封止されている。
【００４５】
第１電極１１（不図示）は前面基板１０ａの左辺部にて外部端子となる複数の電極群（ここでは、電極群２１ａ，２１ｂ）に分けて形成されている。誘電体層１３の左辺端部Ｅ８は封止層１５の外周より外側に配置されており、誘電体層１３の下辺端部Ｅ９は封止層１５の内周より内側に配置されている。つまり、封止層形成領域のうち、電極群２１ａ，２１ｂが形成された左辺部の領域Ｓ１４の上側のすべてに誘電体層１３が形成されるが、電極群２１ａ，２１ｂが未形成の下辺部及び上辺部の領域Ｓ１５の上側には誘電体層１３が形成されていない。
【００４６】
このような放電型表示装置においては、電極群２１ａ，２１ｂが未形成の領域Ｓ１５では誘電体層１３を介することなく封止層１５と前面基板１０ａとが直接接着されているので両基板間の接着力が向上する。一方、電極群２１ａ，２１ｂが形成されている領域Ｓ１６では誘電体層１３を介して封止層１５と前面基板１０ａとが接着しており、左辺部ではパネル内外を貫通するリークパスが形成される虞があるが、従来の放電型表示装置（図１１参照）と比較して、下辺部及び上辺部では封止層１５によって直接接着されているので、パネルの内外を貫通するリークパスが形成される割合を減少することができる。また、封止層１５が形成された封止層形成領域のうちの電極群２１ａ，２１ｂが形成された領域Ｓ１４の上側のすべてに誘電体層１３が形成されていることから、封止層１５に用いた材料と第１電極とが反応して空孔が生じる虞は全くない。
【００４７】
（実施の形態６）
図７は本発明の実施の形態６に係る放電型表示装置の周縁部を示す平面図である。
本発明の実施の形態６に係る放電型表示装置は、前面基板１０ａと背面基板１０ｂとを対向配置し、これら前面基板１０ａ及び背面基板１０ｂの対向面の周縁部を低融点ガラスペーストなどの封止層１５で封止されている。
【００４８】
第１電極１１が封止層１５と重なる部分には、電極の１本毎に誘電体層１３の形成領域が封止層１５を貫通して形成されている。また、誘電体層１３の下辺端部Ｅ１０は封止層１５の内周より内側に配置されている。つまり、第１電極１１の上側すべてに誘電体層１３が形成されているが、実施の形態４と比較して、隣り合う第１電極１１，１１の間隙の領域Ｓ１６の上側には、誘電体層１３が形成されていない。
【００４９】
このような放電型表示装置においては、第１電極１１が未形成の領域（第１電極１１，１１の間隙の領域Ｓ１６など）では誘電体層１３を介することなく封止層１５と前面基板１０ａとが直接接着し、第１電極１１が形成されている領域（第１電極１１上）では誘電体層１３を介して封止層１５と前面基板１０ａとが接着している。誘電体層１３を介して封止層１５と前面基板１０ａとが接着した領域では、接着力が弱くなり剥離が生じる虞があるが、従来の放電型表示装置（図１１参照）と比較して、下辺部及び第１電極１１，１１の間隙の領域Ｓ１６では封止層１５によって直接接着されているので、パネルの内外を貫通するリークパスが形成される割合を減少することができる。また、封止層１５が形成された封止層形成領域のうちの第１電極１１の上側のすべてに誘電体層１３が形成されていることから、封止層１５に用いた材料と第１電極とが反応して空孔が生じる虞は全くない。
【００５０】
なお、各実施の形態においては、前面基板１０ａに設ける第１電極１１及び誘電体層１３と封止層１５との関係について説明したが、背面基板１０ｂに設ける第２電極１２及び誘電体層１４と封止層１５との関係についても全く同様である。例えば、図８に示すように、背面基板１０ｂの下辺部にて外部端子１２ａとして第２電極１２が外部回路に接続されるようになっており、誘電体層１４の下辺端部Ｅ１１が封止層１５と重なるように配置され、誘電体層１４の左辺端部Ｅ１２が封止層１５の内周より内側に配置されているような場合も同様の効果が生じる（実施の形態１に相当）。
【００５１】
また、各実施の形態においては、前面基板１０ａに保護層を明示的に示さなかったが、図９に示すように、前面基板１０ａに第１電極１１、誘電体層１３及び保護層３０が形成され、封止層１５を介して前面基板１０ａと背面基板１０ｂとが接着されている場合、保護層３０の外周を封止層形成領域の内部に配置することが好ましい。例えば、第１電極１１が左辺部に形成されている場合、誘電体層１３の左辺端部Ｅ１３と保護層３０の左辺端部Ｅ１４とを、封止層１５に重なるように配置する。また、第１電極１１が下辺部に形成されていない場合、誘電体層１３の下辺端部Ｅ１５を封止層１５の内周より内側に配置し、保護層３０の下辺端部Ｅ１６を封止層１５に重なるように配置にする。保護層３０は、その端部近辺で徐々に厚みが薄くなるため、表示領域に対してできるだけ大きく形成することが好ましいが、封止層１５と保護層３０とは、封止層１５と誘電体層１３との関係と同じように接着力が弱く、リークパスがランダムに生じる可能性があり、保護層３０の外周のすべてを封止層形成領域の内部に配置することが好ましい。なお、以上の各実施例では、保護層、誘電体層の左辺端部が約９０度の角度を有しているが、それぞれの四隅において丸みを帯びていても良い。
【００５２】
以上の各実施の形態に関し、更に以下の付記を開示する。
（付記１）  電極及び誘電体層が形成された基板と該基板に対向する他の基板との間隙が封止層によって封止されたフラットディスプレイパネルにおいて、前記誘電体層の外周の一部又は全部は、前記封止層が形成された封止層形成領域の内部に配置されていることを特徴とするフラットディスプレイパネル。
（付記２）  前記封止層形成領域に前記電極が形成されており、前記封止層形成領域のうちの前記電極が形成された領域の上側に、前記誘電体層が形成された部分を有することを特徴とする付記１に記載のフラットディスプレイパネル。
（付記３）  前記封止層形成領域のうちの前記電極が形成されていない領域の上側には、前記誘電体層が形成されていないことを特徴とする付記２に記載のフラットディスプレイパネル。
（付記４）  電極及び誘電体層が形成された基板と該基板に対向する他の基板との間隙が封止層によって封止されたフラットディスプレイパネルにおいて、前記電極は、前記封止層が形成された封止層形成領域の内側から外側に伸びており、前記電極が形成された領域に対応する前記誘電体層の外周は、前記封止層形成領域より外側に配置され、その他の外周は前記封止層形成領域より内側に配置されていることを特徴とするフラットディスプレイパネル。
（付記５）  前記電極は複数あって、隣り合う電極の間隙の上側には、前記誘電体層が形成されていないことを特徴とする付記１乃至付記４のいずれかに記載のフラットディスプレイパネル。
（付記６）  前記誘電体層を被覆する部分を有する保護層を備え、該保護層の外周が前記封止層形成領域の内部に配置されていることを特徴とする付記１乃至付記５のいずれかに記載のフラットディスプレイパネル。
【図面の簡単な説明】
【００５３】
【図１】本発明の実施の形態１に係る放電型表示装置の周縁部を示す平面図である。
【図２】本発明の実施の形態１に係る放電型表示装置の周縁部の構造断面図である。
【図３】本発明の実施の形態２に係る放電型表示装置の周縁部を示す平面図である。
【図４】本発明の実施の形態３に係る放電型表示装置の周縁部を示す平面図である。
【図５】本発明の実施の形態４に係る放電型表示装置の周縁部を示す平面図である。
【図６】本発明の実施の形態５に係る放電型表示装置の周縁部を示す平面図である。
【図７】本発明の実施の形態６に係る放電型表示装置の周縁部を示す平面図である。
【図８】本発明に係る放電型表示装置の他の例を示す平面図である。
【図９】本発明に係る放電型表示装置の他の例を示す平面図である。
【図１０】従来の放電型表示装置の要部斜視図である。
【図１１】従来の放電型表示装置の周縁部を示す平面図である。
【図１２】従来の放電型表示装置の周縁部の構造断面図である。
【符号の説明】
【００５４】
１０ａ  前面基板
１０ｂ  背面基板
１１  第１電極
１２  第２電極
１３，１４  誘電体層
１５  封止層
１６  隔壁
１７  蛍光体層
２１ａ，２１ｂ  電極群
３０  保護層
【図１】
2006260913.tif 000003
【図２】
2006260913.tif 000004
【図３】
2006260913.tif 000005
【図４】
2006260913.tif 000006
【図５】
2006260913.tif 000007
【図６】
2006260913.tif 000008
【図７】
2006260913.tif 000009
【図８】
2006260913.tif 000010
【図９】
2006260913.tif 000011
【図１０】
2006260913.tif 000012
【図１１】
2006260913.tif 000013
【図１２】
2006260913.tif 000014